(57)【要約】【課題】筐体をむやみに大きくすることなく、筐体の内部の音源が発する騒音を吸収し、騒音の外部への漏洩を低減させる。【解決手段】カセットコンパートメント３０は、孔あき板６０を備えている。そして、ヘッドドラム５０によって記録又は再生を行うときは、カセットスライダー４０により、孔あき板６０が上部筐体２１から離れる方向に移動する。すると、孔あき板６０は、上部筐体２１との間に介在する空気層と、孔６１とにより、ヘッドドラム５０が発する音の周波数に共鳴し、吸音機能を発揮するようになる。【選択図】図５
2008071428.tif 000002
【特許請求の範囲】
【請求項１】
記録媒体に対する情報の記録又は記録された情報の再生の少なくとも一方が可能な記録再生手段と、
前記記録再生手段を内部に収容する筐体と、
前記筐体の外部から装填される前記記録媒体を保持する記録媒体保持部と、
前記記録媒体保持部を前記記録媒体の装填位置と記録又は再生位置との間で移動させる保持部移動手段と
を備える記録再生装置であって、
前記保持部移動手段は、前記記録再生手段によって記録又は再生を行うときは、前記記録媒体の装填位置よりも、前記記録媒体保持部の少なくとも一部が前記筐体から離れる方向に前記記録媒体保持部を移動させ、
前記記録媒体保持部は、前記筐体から離れる部分に、前記筐体の内部にある音源が発する音の周波数に共鳴する共鳴構造形吸音材を備える
ことを特徴とする記録再生装置。
【請求項２】
請求項１に記載の記録再生装置において、
前記共鳴構造形吸音材は、複数の孔が開口した孔あき板である
ことを特徴とする記録再生装置。
【請求項３】
請求項１に記載の記録再生装置において、
前記共鳴構造形吸音材は、前記筐体と対向する前記記録媒体保持部の表面に配置されている
ことを特徴とする記録再生装置。
【請求項４】
請求項１に記載の記録再生装置において、
前記共鳴構造形吸音材は、前記記録媒体に対応した大きさである
ことを特徴とする記録再生装置。
【請求項５】
請求項１に記載の記録再生装置において、
前記共鳴構造形吸音材は、複数の音の周波数にそれぞれ共鳴する複数の吸音領域を有する
ことを特徴とする記録再生装置。
【請求項６】
請求項１に記載の記録再生装置において、
前記共鳴構造形吸音材は、複数積層されている
ことを特徴とする記録再生装置。
【請求項７】
請求項１に記載の記録再生装置において、
前記記録媒体は、テープメディアを収容したビデオカセットであり、
前記記録再生手段は、回転するヘッドドラムである
ことを特徴とする記録再生装置。
【発明の詳細な説明】
【技術分野】
【０００１】
本発明は、記録媒体に対する情報の記録又は記録された情報の再生の少なくとも一方が可能な記録再生装置に係るものである。そして、詳しくは、記録再生装置の筐体をむやみに大きくすることなく、筐体の内部にある音源が発する騒音の外部への漏洩を低減させることができる技術に関するものである。
【背景技術】
【０００２】
電子機器等の筐体は、その内部から発生する騒音が外部に漏洩してユーザーに不快感を与えないように、筐体を密閉構造にする他、騒音を抑制するための様々な工夫が施されている。例えば、下記の特許文献１には、空気層の存在に基づく共鳴によって筐体の外部への騒音の漏洩を低減するようにした技術が開示されている。すなわち、音源を収納可能に構成された箱状の枠と、枠の内部に配置され、音源からの音を減衰して音の漏洩を低減する吸音材とを有し、吸音材は、枠の内壁に空気層を介してほぼ平行に配置され、共振振動数（共鳴周波数）が音源からの音の主要な周波数に一致するように構成された筐体が知られている。
【特許文献１】特開２００１−２６７７６１号公報
【０００３】
また、共鳴周波数を利用して騒音を吸収する共鳴器としては、ヘルムホルツ共鳴器が知られている。そして、下記の特許文献２には、パネルと、そのパネルの機器側に設けた複数のヘルムホルツ共鳴器とよりなり、そのヘルムホルツ共鳴器は、パネルの機器側に設けた首部（孔）と、その首部の反機器側に設けた空洞部（空気層）とで構成されるようにした技術が開示されている。
【特許文献２】特開２００１−７５５７４号公報
【発明の開示】
【発明が解決しようとする課題】
【０００４】
しかし、上記の特許文献１及び特許文献２に記載された技術では、騒音の低減が可能になるものの、筐体が大きくなってしまうという問題がある。すなわち、特許文献１の技術では、枠の内壁に空気層を介して吸音材を配置するため、空気層となる空間を確保しておかなければならず、その空間が筐体の大型化を招くことになる。また、特許文献２の技術では、ヘルムホルツ共鳴器の空洞部（空気層）を確保する必要があり、その空洞部が筐体の大型化を招くことになる。
【０００５】
一方、電子機器の小型化は時代の趨勢であり、特に、ビデオカセットを挿入して記録や再生を行うカムコーダー（記録再生装置の１つ）では、小型であることが商品選択の重要な要素となっている。また、カムコーダーは、ビデオカセットに収容されたテープメディアを走行させ、回転するヘッドドラムに接触させて記録又は再生を行うので、両者の接触によって特定の周波数の騒音が発生する。そして、画質の向上やスローモーション効果等の面からは、ヘッドドラムを高速で回転させることが有効であり、そうすると、騒音が増大してしまうという問題がある。そのため、カムコーダー等の記録再生装置では、小型化の要請と、画質の向上等にともなって大きくなる騒音の低減とが二律背反の状況になっている。
【０００６】
したがって、本発明が解決しようとする課題は、カムコーダー等の記録再生装置において、記録再生装置の筐体を大きくすることなく、筐体の内部の音源（例えば、ヘッドドラム等の記録再生手段）が発する騒音を吸収し、騒音の外部への漏洩を低減させることである。
【課題を解決するための手段】
【０００７】
本発明は、以下の解決手段により、上述の課題を解決する。
本発明の１つである請求項１に記載の発明は、記録媒体に対する情報の記録又は記録された情報の再生の少なくとも一方が可能な記録再生手段と、前記記録再生手段を内部に収容する筐体と、前記筐体の外部から装填される前記記録媒体を保持する記録媒体保持部と、前記記録媒体保持部を前記記録媒体の装填位置と記録又は再生位置との間で移動させる保持部移動手段とを備える記録再生装置であって、前記保持部移動手段は、前記記録再生手段によって記録又は再生を行うときは、前記記録媒体の装填位置よりも、前記記録媒体保持部の少なくとも一部が前記筐体から離れる方向に前記記録媒体保持部を移動させ、前記記録媒体保持部は、前記筐体から離れる部分に、前記筐体の内部にある音源が発する音の周波数に共鳴する共鳴構造形吸音材を備えることを特徴とする。
【０００８】
（作用）
上記の請求項１に記載の発明では、保持部移動手段が、記録再生手段によって記録又は再生を行うときは、記録媒体の装填位置よりも、記録媒体保持部の少なくとも一部が筐体から離れる方向に記録媒体保持部を移動させる。そのため、記録媒体の装填位置では、記録媒体保持部を筐体に近接させておくことができる。一方、記録又は再生を行う際には、筐体と記録媒体保持部とが離れるので、両者の間に空間が確保され、その空間を共鳴による騒音の吸収に必要な空気層とすることが可能になる。
【０００９】
また、記録媒体保持部は、筐体から離れる部分に、筐体の内部の音源が発する音の周波数に共鳴する共鳴構造形吸音材を備えている。そのため、記録又は再生が行われる際（騒音が発生する際）には、共鳴構造形吸音材の背後に空気層が設けられることになる。したがって、発生した騒音を共鳴周波数を利用して吸収し、騒音の外部への漏洩を低減させることが可能になる。
【発明の効果】
【００１０】
上記の発明によれば、記録媒体の装填位置では、共鳴構造形吸音材を備える記録媒体保持部が筐体に近接した状態になっている。そして、この状態では、記録又は再生が行われることがないので、騒音が発生することもない。そのため、記録媒体保持部が筐体に近接し、共鳴による騒音の吸収に必要な空気層（空間）が確保されていなくても、何ら問題が生じない。したがって、共鳴構造形吸音材を備えるようにしても、常に空気層（空間）を確保しておかなくて良くなるので、記録再生装置の筐体をむやみに大きくする必要がなくなる。
【００１１】
また、騒音が発生する記録又は再生の際には、記録媒体保持部が筐体から離れ、筐体と共鳴構造形吸音材との間に空間が生じ、その空間を空気層として活用することが可能になる。したがって、発生した騒音を共鳴構造形吸音材によって効果的に吸収することができる。その結果、本発明の記録再生装置は、小型化の要請と、騒音の外部への漏洩の低減とを高度に両立させることができる。
【発明を実施するための最良の形態】
【００１２】
以下、図面を参照して、本発明の一実施形態について説明する。
なお、以下の実施形態では、後述するように、本発明の記録再生装置として、カムコーダー１０を例に挙げている。そして、本実施形態のカムコーダー１０は、回転するヘッドドラム５０（本発明における記録再生手段に相当するもの）により、テープメディア７２を収容したビデオカセット７０（本発明における記録媒体に相当するもの）に撮影画像等を記録するとともに、記録された撮影画像等を再生することができるものである。
【００１３】
図１は、本実施形態のカムコーダー１０を示す部分斜視図である。
図１に示すように、カムコーダー１０は、上部筐体２１と、下部筐体２２とからなる筐体２０を備えている。そして、上部筐体２１は、開閉自在の蓋体２１ａを有しており、通常は、図１（ａ）に示すように、蓋体２１ａが閉じている。一方、ビデオカセット７０（図示せず）の挿入又は排出の際は、図１（ｂ）に示すように、蓋体２１ａが開くようになっており、蓋体２１ａが開くことによって出現する上部筐体２１の開口がビデオカセット７０の挿入口２１ｂとなる。また、下部筐体２２の内部には、記録及び再生のためのヘッドドラム５０（図示せず）等の各種の部品が収容されている。
【００１４】
図２は、本実施形態のカムコーダー１０にビデオカセット７０を挿入した状態を示す部分斜視図である。
図２に示すように、蓋体２１ａを開ければ、挿入口２１ｂにビデオカセット７０を挿入することができる。すなわち、ビデオカセット７０の側面に対応した開口の挿入口２１ｂには、図２（ａ）に示すように、筐体２０の外部からビデオカセット７０の大部分を挿入することができる。すると、ビデオカセット７０は、図２（ｂ）に示すように、自動的に筐体２０の内部に向けて搬送される。そして、ビデオカセット７０が完全に挿入されてしまうと、蓋体２１ａが閉じて（図１（ａ）参照）、カムコーダー１０による撮影画像等の記録及び再生が可能になる。
【００１５】
図３は、本実施形態のカムコーダー１０に対するビデオカセット７０の挿入当初の状態を示す断面図及び斜視図である。
また、図４は、図３に続く挿入途中の状態を示す断面図及び斜視図である。
さらにまた、図５は、図４に続く挿入完了の状態を示す断面図及び斜視図である。
図３から図５に示すように、本実施形態のカムコーダー１０における筐体２０（上部筐体２１及び下部筐体２２）の内部には、カセットコンパートメント３０（本発明における記録媒体保持部に相当するもの）、カセットスライダー４０（本発明における保持部移動手段に相当するもの）、及びヘッドドラム５０が収容されている。
【００１６】
そして、本実施形態のカムコーダー１０によって記録又は再生を行うには、最初に、上部筐体２１の蓋体２１ａ（図１参照）を開け、挿入口２１ｂからビデオカセット７０を挿入する。すると、ビデオカセット７０がカセットコンパートメント３０に保持される。その後、ビデオカセット７０は、カセットスライダー４０により、カセットコンパートメント３０とともに、図３に示す挿入当初の状態（ビデオカセット７０の装填位置）から、図４に示す挿入途中の状態を経て、図５に示す挿入完了の状態（ビデオカセット７０の記録又は再生位置）まで移動する。そのため、ヘッドドラム５０による撮影画像等の記録や再生が可能になる。
【００１７】
この点に関してさらに詳述すると、カセットコンパートメント３０は、ビデオカセット７０を保持する底板３１及び側板３２を備えており、側板３２には、一対の突出部３２ａが形成されている。また、上部筐体２１と対向するカセットコンパートメント３０の表面には、複数の孔６１が開口した孔あき板６０（本発明における共鳴構造形吸音材に相当するもの）が配置されている。そして、この孔あき板６０は、ビデオカセット７０に対応した大きさとなっている。
【００１８】
このようなカセットコンパートメント３０にビデオカセット７０が保持されると、カセットコンパートメント３０は、カセットスライダー４０により、ビデオカセット７０の装填位置と記録又は再生位置との間を移動する。すなわち、カセットスライダー４０は、モーター（図示せず）によってカセットコンパートメント３０を移動させるものであり、枠体４１を備えている。そして、枠体４１には、一対の誘導孔４１ａが形成されており、カセットコンパートメント３０の突出部３２ａが誘導孔４１ａにはめ込まれている。そのため、カセットスライダー４０のモーターを駆動制御すれば、カセットコンパートメント３０が誘導孔４１ａに沿って移動する。
【００１９】
ここで、ビデオカセット７０の挿入時は、図３（ａ）に示すように、カセットコンパートメント３０の突出部３２ａがカセットスライダー４０の誘導孔４１ａの水平部に位置している。そのため、カセットコンパートメント３０の底板３１は、筐体２０の挿入口２１ｂの下端面とほぼ一致した高さになっている。また、カセットコンパートメント３０の上面には、孔あき板６０が取り付けられているが、この孔あき板６０は、挿入口２１ｂの上端面とほぼ一致した高さになっている。したがって、筐体２０の外部から挿入口２１ｂにビデオカセット７０を挿入すれば、ビデオカセット７０が底板３１上に載置され、孔あき板６０との間で、カセットコンパートメント３０に保持される。
【００２０】
そして、図３に示すように、筐体２０（上部筐体２１及び下部筐体２２）の内部にビデオカセット７０の大部分が挿入されると、その後は、カセットスライダー４０のモーターが駆動制御され、ビデオカセット７０を保持したカセットコンパートメント３０が自動的に、誘導孔４１ａの水平部の左端に向かって移動するようになる。なお、図３（ｂ）においては、ビデオカセット７０の位置が明確になるように、上部筐体２１の図示を省略してある。
【００２１】
このようにしてカセットコンパートメント３０の突出部３２ａが誘導孔４１ａの水平部の左端まで移動すると、図４に示すように、ビデオカセット７０の全体が筐体２０（上部筐体２１及び下部筐体２２）の内部に挿入された状態になる。この状態では、孔あき板６０がビデオカセット７０に対応した大きさとなっていることから、ビデオカセット７０が孔あき板６０の下面にほぼ覆い隠される。また、上部筐体２１の蓋体２１ａ（図１参照）が自動的に閉じ、挿入口２１ｂを塞ぐ。なお、図４（ｂ）においても、ビデオカセット７０の位置が明確になるように、上部筐体２１の図示を省略してある。
【００２２】
図４に示すように、ビデオカセット７０が完全に挿入されてしまうと、今度は、カセットコンパートメント３０の突出部３２ａがカセットスライダー４０の誘導孔４１ａの垂直部を下降する。すると、図５に示すビデオカセット７０の挿入完了の状態になる。すなわち、カセットスライダー４０により、ビデオカセット７０の装填位置から記録又は再生位置までのカセットコンパートメント３０の移動が終了する。
【００２３】
また、ビデオカセット７０の挿入が完了すると、図５（ｂ）に示すように、テープカバー７１が開いた状態になり、テープメディア７２が自動的に引き出される。そして、下部筐体２２の内部に収容されているヘッドドラム５０に巻き付けられながらテープメディア７２が走行する。同時に、ヘッドドラム５０が回転し、撮影画像等の記録や再生が可能になる。なお、図５（ｂ）においては、ヘッドドラム５０と、ビデオカセット７０との関係が明確になるように、上部筐体２１の図示を省略してある。
【００２４】
一方、ビデオカセット７０の排出時は、図３から図５に示す動作と全く逆の動作が行われる。すなわち、ヘッドドラム５０に対するテープメディア７２の巻付けが解除され、その後、カセットコンパートメント３０の突出部３２ａがカセットスライダー４０の誘導孔４１ａに沿って、図５に示す状態から逆の順序で図３に示す状態まで移動する。したがって、挿入口２１ｂからビデオカセット７０をつまみ出せば、カムコーダー１０からビデオカセット７０を排出させることができる。
【００２５】
ところで、カムコーダー１０は、ヘッドドラム５０にテープメディア７２を巻き付け、ヘッドドラム５０を回転させるとともに、テープメディア７２を走行させて撮影画像等の記録や再生を行うので、ヘッドドラム５０の回転に起因して騒音が発生する。そのため、ヘッドドラム５０が騒音源となる。すなわち、ヘッドドラム５０が回転すると、ヘッドドラム５０に搭載されたヘッドとテープメディア７２との接触によって特定の周波数のたたき音（騒音）が発生する。例えば、５２個のヘッドを搭載したヘッドドラム５０を６０Ｈｚで回転させると、３１２０Ｈｚの騒音が発生する。そして、ヘッドドラム５０の回転に起因する騒音は、回転数が高くなるほど大きくなることから、発生する騒音を小さくするには、回転数を低く設定（例えば、３０Ｈｚ以下に設定）したり、筐体２０を密閉構造にするしかなかった。
【００２６】
また、画質の向上やスローモーション効果等の機能の向上を図るには、ヘッドドラム５０を高速で回転させることが有効であり、特に、シネマ用途のカムコーダー１０では、高画質での記録が求められる。しかも、シネマ用途のカムコーダー１０では、静音であることが非常に大きなセールスポイントになっている。そのため、ヘッドドラム５０を５０Ｈｚ〜６０Ｈｚで高速回転させ、高画質記録やスローモーション撮影等の特殊記録を実現しつつ、シネマ用途での展開を図るには、騒音を低減させることが重要になる。すなわち、ヘッドドラム５０の回転数に応じて発生する特定の周波数のたたき音（騒音）を吸収し、騒音の外部への漏洩を低減させなければならない。
【００２７】
そこで、本実施形態のカムコーダー１０は、高速回転（例えば、６０Ｈｚで回転）するヘッドドラム５０が音源となって発生する騒音の周波数（例えば、３１２０Ｈｚ）に共鳴する共鳴構造形吸音材を備え、共鳴構造形吸音材として、アルミニウム板に複数の孔６１を開口した孔あき板６０を用いている。この孔あき板６０は、特定の周波数の音を吸収することができるヘルムホルツ共鳴器と呼ばれる吸音機構を利用したものであり、吸音性能には、孔６１の他、孔あき板６０の背後（図５では、孔あき板６０の上側）の空気層の厚さ（上部筐体２１との間隔）が重要なパラメーターになる。
【００２８】
そして、本実施形態のカムコーダー１０では、孔あき板６０と上部筐体２１との所定の間隔を確保するため、孔あき板６０をカセットコンパートメント３０の上面（上部筐体２１から離れる部分）に取り付けている。すなわち、図３に示すビデオカセット７０の装填位置から、図５に示す記録又は再生位置までカセットコンパートメント３０を移動させると、孔あき板６０もカセットコンパートメント３０と一緒に移動する。すると、ビデオカセット７０の記録又は再生位置では、図５（ａ）に示すように、孔あき板６０が上部筐体２１の天井面から離れるようになる。そのため、孔あき板６０と上部筐体２１との間に必要な厚さの空気層が確保されることになる。
【００２９】
図６は、本実施形態のカムコーダー１０における孔あき板６０と上部筐体２１との関係を示す斜視図及び断面図である。
図６（ａ）に示すように、板厚ｈの孔あき板６０には、所定のピッチｂで縦横に複数の孔６１（直径２ｒ）が開口している。そして、孔あき板６０は、記録又は再生位置（図５参照）では、上部筐体２１と間隔ｄだけ離れた位置になる。
【００３０】
このような孔あき板６０は、図６（ｂ）に示すように、上部筐体２１との間に介在する空気層と、孔６１の内部の空気とがある特定の周波数で共鳴することにより、吸音機能を発揮する。すなわち、孔６１の直径２ｒが十分に小さい場合、孔６１の内部に存在する空気は、質量として取り扱うことができる。また、孔あき板６０と上部筐体２１との間の空気層は、バネの作用をするため、振動系を形成する。そのため、孔６１の空気が激しく振動すると、孔６１の内壁等との摩擦損失によって音の減衰が起こり、これが吸音作用になる。そして、孔あき板６０の吸音性能は、孔あき板６０の板厚ｈ、孔６１の直径２ｒ（半径ｒ）、孔６１のピッチｂ、及び孔あき板６０と上部筐体２１との間隔ｄ（空気層の厚さｄ）よって決まる特定の周波数を中心とした山形の吸音特性を示す。
【００３１】
したがって、ヘッドドラム５０の回転数に応じて発生する特定の周波数のたたき音（騒音）が吸収されるような孔あき板６０を用いれば、騒音を低減させることができる。具体的には、孔あき板６０の共鳴周波数ｆは、空気中の音の速さｃにおいて、
ｆ＝（ｃ／２π）×√（πｒ２  ／（（ｈ＋（π／２）ｒ）ｄｂ２  ））
となる。そこで、図６に示す孔あき板６０は、ヘッドドラム５０を６０Ｈｚで高速回転させた場合に発生するｆ＝３１２０Ｈｚの騒音を共鳴させて吸音するため、孔あき板６０の板厚ｈ＝２ｍｍ、孔６１の半径ｒ＝１．８ｍｍ、孔６１のピッチｂ＝７．５ｍｍ、孔あき板６０と上部筐体２１との間隔ｄ＝４ｍｍになっている。
【００３２】
ここで、孔あき板６０と上部筐体２１との間隔ｄは、振動系を形成する空気層の厚さであるから、重要なパラメーターの１つであり、これが薄いと、共鳴周波数ｆが必要以上に高くなってしまう。しかしながら、目的とする周波数（３１２０Ｈｚ）の騒音を吸収するために必要な空気層の厚さ（間隔ｄ＝４ｍｍ）を常時確保しておくことは、孔あき板６０と上部筐体２１とを遠ざけなければならず、筐体２０を無駄に大きくすることにつながってしまう。
【００３３】
そこで、本実施形態のカムコーダー１０は、図３から図５に示すカセットコンパートメント３０の移動によって生じる空間を有効に活用して、必要な空気層の厚さ（間隔ｄ＝４ｍｍ）を確保している。すなわち、前述したように、カセットコンパートメント３０は、カセットスライダー４０により、ビデオカセット７０の装填位置から記録及び再生位置まで移動する。そして、ヘッドドラム５０によって記録又は再生を行うときは、ビデオカセット７０の装填位置（図３参照）よりも、カセットコンパートメント３０が上部筐体２１から離れるようになっている（図５参照）。
【００３４】
したがって、図３から図５に示すように、上部筐体２１と対向するカセットコンパートメント３０の上面に孔あき板６０を配置すれば、カセットコンパートメント３０の移動にともなって孔あき板６０も移動し、記録又は再生時には、孔あき板６０が上部筐体２１の天井面から離れて位置するようになる。その結果、ヘッドドラム５０が回転して騒音を発する記録又は再生時に、孔あき板６０と上部筐体２１との間に吸音に必要な空気層が都合良く確保される。
そこで次に、孔あき板６０の位置関係について詳細に説明する。
【００３５】
図７は、本実施形態のカムコーダー１０に対するビデオカセット７０の挿入途中の状態における孔あき板６０の位置を示す斜視図及び側面図である。
また、図８は、図７に続く挿入完了の状態における孔あき板６０の位置を示す斜視図及び側面図である。
なお、図７（ａ）及び図８（ａ）においては、孔あき板６０の上方に形成される空間が明確になるように、上部筐体２１の図示を省略してある。
【００３６】
図７に示すように、ビデオカセット７０の挿入途中の状態では、孔あき板６０が上部筐体２１と近接した位置にある。この位置では、孔あき板６０と上部筐体２１との間隔が狭く、共鳴による騒音の吸収に必要な間隔（空気層厚）を確保できない。しかしながら、この状態では、記録又は再生が行われることがないので、ヘッドドラム５０が回転せず、そもそも騒音が発生することもない。そのため、孔あき板６０が吸音機能を発揮できないとしても、何ら問題ない。
【００３７】
一方、図８に示すビデオカセット７０の挿入完了の状態では、ヘッドドラム５０による記録や再生を可能とするため、ビデオカセット７０のテープカバー７１を開け、テープメディア７２を引き出した後、図８（ａ）に示すように、ヘッドドラム５０にテープメディア７２を巻き付けなければならない。そのため、記録又は再生を行う際には、カセットコンパートメント３０（図５参照）を下方に位置させ、ビデオカセット７０を下降させてヘッドドラム５０と同じ高さに位置させ、その後、テープカバー７１を上方に開けるようにしている。
【００３８】
このように、ビデオカセット７０を下降させることは、テープカバー７１を開けてテープメディア７２を引き出し、ヘッドドラム５０によって記録又は再生を行うカムコーダー１０に必然的とも言えるものである。そのため、ビデオカセット７０を下降させると、図８（ｂ）に示すように、上部筐体２１の下側に大きな空間ができるようになる。
【００３９】
そして、本実施形態のカムコーダー１０は、カセットコンパートメント３０（図５参照）に孔あき板６０を取り付けているので、ビデオカセット７０の下降と一緒に孔あき板６０も下降する。そのため、ヘッドドラム５０による記録又は再生の際は、孔あき板６０と上部筐体２１との間隔が広くなり、上部筐体２１の下側（孔あき板６０の上側）の大きな空間を空気層として利用できるようになる。すなわち、共鳴による騒音の吸収に必要な間隔（空気層厚）が自動的に確保されることになり、上部筐体２１の下側（孔あき板６０の上側）に生じる空間を有効に活用して、筐体２０をむやみに大きくすることなく、孔あき板６０の吸音機能を発揮させることができる。
【００４０】
ここで、孔あき板６０は、ヘッドドラム５０の回転に起因する騒音を吸収する。すなわち、前述したように、記録又は再生のため、ヘッドドラム５０を６０Ｈｚの高速で回転させると、ヘッドドラム５０に搭載されたヘッドとテープメディア７２との接触により、３１２０Ｈｚの近傍の周波数の騒音が発生する。この周波数の騒音は、図８（ｂ）に矢印で示すように、孔あき板６０の孔６１を下から上に抜け、孔あき板６０と上部筐体２１との間の空間（空気層）にバネの作用をさせる。したがって、孔あき板６０は、特定の周波数の音を吸収することができるヘルムホルツ共鳴器と呼ばれる吸音機構を利用した共鳴構造形吸音材として機能する。
【００４１】
この点に関してさらに詳述すると、孔あき板６０は、前述したように、３１２０Ｈｚの周波数の騒音を効果的に吸収することを想定して、孔あき板６０の板厚ｈ＝２ｍｍ、孔６１の半径ｒ＝１．８ｍｍ、孔６１のピッチｂ＝７．５ｍｍである。また、孔あき板６０の下降量は、最大で１０ｍｍまで設定できるが、本実施形態のカムコーダー１０では、３１２０Ｈｚの周波数の騒音に対応して、孔あき板６０と上部筐体２１とが間隔ｄ（空気層の厚さｄ）＝４ｍｍになるように下降する。
【００４２】
このような孔あき板６０と空気層とにより、３１２０Ｈｚの周波数の音が孔６１を下から上に抜けると、孔あき板６０と上部筐体２１との間の空間（空気層）が振動系を形成する。そして、孔６１の空気が激しく振動し、孔６１の内壁等との摩擦損失によって音の減衰が起こる。したがって、ヘッドドラム５０を６０Ｈｚの高速で回転させても、回転によって発生する３１２０Ｈｚの周波数の騒音が効果的に吸収され、筐体２０の外部への漏洩が低減される。
【００４３】
また、孔あき板６０は、アルミニウム板に複数の孔６１を開口させたものである。そのため、孔あき板６０の全体が放熱板としての機能も有している。すなわち、本実施形態のカムコーダー１０は、孔あき板６０と空気層とにより、ヘッドドラム５０の騒音が吸収されるだけでなく、ヘッドドラム５０等から発生した熱を効果的に放散させることができるものである。なお、孔あき板６０の材質としては、アルミニウム、マグネシウム等の金属の他に、各種の合成樹脂や、石こう、珪酸カルシウム等を使用することもできるが、放熱効果が得られる点で、金属とすることが好ましい。
【００４４】
さらにまた、孔あき板６０が吸収する騒音の周波数（共鳴周波数ｆ）は、前述したように、孔あき板６０の板厚ｈ、孔６１の直径２ｒ（半径ｒ）、孔６１のピッチｂ、及び孔あき板６０と上部筐体２１との間隔ｄ（空気層の厚さｄ）の設定により、適宜変更することができる。そのため、ヘッドドラム５０の回転数等に応じた特定の周波数の騒音に合わせた孔あき板６０を取り付け、孔あき板６０と上部筐体２１との間隔ｄを適当に設定することにより、様々な周波数の騒音を発生する各種のカムコーダー１０に対応させることができる。
【００４５】
さらに、１つのカムコーダー１０であっても、筐体２０の内部にある騒音源は、回転するヘッドドラム５０に限られない。例えば、ヘッドドラム５０の回転とともに、テープメディア７２が引き出されるので、ビデオカセット７０の駆動機構（例えば、モーターやギヤ等）も騒音源になり得る。その他、電源の冷却ファン等も騒音源になり得る。この場合には、発生する騒音の周波数が異なったものになることから、孔あき板６０に形成する孔６１の半径ｒや上部筐体２１の天井面との間隔ｄ（空気層厚）等の設定も、異なる周波数に対応させなければならない。そして、本実施形態のカムコーダー１０は、孔あき板６０を変更することにより、１つの筐体２０内で発生する複数の周波数の騒音を低減させることができる。
【００４６】
図９は、他の実施形態のカムコーダー１１０を示す側面図であり、図９（ａ）は、ビデオカセット７０の挿入途中の状態を示し、図９（ｂ）は、ビデオカセット７０の挿入完了の状態を示している。
図９に示す実施形態のカムコーダー１１０は、筐体２０の内部に複数（２つ）の共鳴構造形吸音材（孔あき板１６０ａ及び孔あき板１６０ｂ）を積層したものである。そして、孔あき板１６０ａと孔あき板１６０ｂとの間に仕切り板１６２を挿入して空気層を二層化することにより、ヘルムホルツ共鳴器と呼ばれる吸音機構を二重に利用できるようにしている。
【００４７】
このカムコーダー１１０は、図９（ａ）に示すように、ビデオカセット７０の挿入途中の状態では、孔あき板１６０ａ、仕切り板１６２、及び孔あき板１６０ｂがそれぞれ近接した位置にあり、ビデオカセット７０と上部筐体２１との間の狭い空間内に収容されている。そのため、孔あき板１６０ａと仕切り板１６２との間隔、孔あき板１６０ｂと上部筐体２１との間隔が狭くなっており、共鳴による騒音の吸収に必要な間隔（空気層厚）を確保できない。しかしながら、この状態では、記録又は再生が行われることがないので、ヘッドドラム５０が回転せず、そもそも騒音が発生することもない。そのため、孔あき板１６０ａ及び孔あき板１６０ｂが吸音機能を発揮できないとしても、何ら問題ない。
【００４８】
一方、図９（ｂ）に示すビデオカセット７０の挿入完了の状態では、ヘッドドラム５０による記録や再生を可能とするため、ビデオカセット７０を下降させてヘッドドラム５０と同じ高さに位置させる。すると、上部筐体２１の下側に大きな空間ができるようになるが、図９に示す実施形態のカムコーダー１１０では、ビデオカセット７０の下降と一緒に孔あき板１６０ａ、仕切り板１６２、及び孔あき板１６０ｂも下降する。
【００４９】
ここで、孔あき板１６０ａ、仕切り板１６２、及び孔あき板１６０ｂは、孔あき板１６０ａと仕切り板１６２との間隔、孔あき板１６０ｂと上部筐体２１との間隔が等しくなるようにそれぞれ下降する。そのため、孔あき板１６０ａと仕切り板１６２との間に、共鳴による騒音の吸収に必要な第１空気層が確保され、孔あき板１６０ｂと上部筐体２１との間に、共鳴による騒音の吸収に必要な第２空気層が確保される。
【００５０】
そして、孔あき板１６０ａ及び孔あき板１６０ｂは、ヘッドドラム５０の回転に起因する騒音を吸収できるものである。すなわち、孔あき板１６０ａ及び孔あき板１６０ｂは、それぞれがヘッドドラム５０の騒音（周波数＝３１２０Ｈｚ）の吸収を想定した同一径の孔（孔１６１ａ及び孔１６１ｂ）を有する同一形状のものとなっている。また、騒音の吸収のために確保する第１空気層及び第２空気層の厚さも、同じに設定されている。そのため、空気層を二層化した二重の吸音機構となり、ヘッドドラム５０の騒音をより一層効果的に吸収できる。
【００５１】
この点に関してさらに詳述すると、ヘッドドラム５０を回転させることによって発生した騒音は、図９（ｂ）に矢印で示すように、孔あき板１６０ａの孔１６１ａを下から上に抜け、孔あき板１６０ａと仕切り板１６２との間の空間（第１空気層）にバネの作用をさせる。そのため、ヘルムホルツ共鳴器と呼ばれる吸音機構が働き、ここである程度の騒音が吸収される。しかしながら、騒音を完全に吸収することは困難であり、その一部は、仕切り板１６２を伝わって仕切り板１６２の上に漏れてしまう。
【００５２】
ところが、仕切り板１６２の上に漏れた騒音は、図９（ｂ）に矢印で示すように、今度は、孔あき板１６０ｂの孔１６１ｂを下から上に抜け、孔あき板１６０ｂと上部筐体２１との間の空間（第２空気層）にバネの作用をさせる。そのため、ここでもヘルムホルツ共鳴器と呼ばれる吸音機構が働き、騒音が効果的に吸収される。したがって、筐体２０の外部への漏洩がより一層低減される。なお、図９に示す実施形態のカムコーダー１１０は、孔あき板１６０ａ、仕切り板１６２、及び孔あき板１６０ｂによって空気層を二層化した二重の吸音機構としているが、孔あき板及び仕切り板を増やすことによって空気層を多層化すれば、より多重化された吸音機構となる。また、孔あき板１６０ａと孔あき板１６０ｂとを異なるものにすれば、複数の周波数の騒音を同時に吸収できる。
【００５３】
図１０は、本実施形態のカムコーダー１０（カムコーダー１１０）に使用可能な他の例の孔あき板２６０及び孔あき板３６０を示す平面図である。
図１０（ａ）に示すように、孔あき板２６０は、ある２つの騒音の周波数にそれぞれ共鳴する２つの吸音領域６０ａ及び吸音領域６０ｂを有している。また、図１０（ｂ）に示すように、孔あき板３６０は、別の２つの騒音の周波数にそれぞれ共鳴する２つの吸音領域６０ａ及び吸音領域６０ｃを有している。
【００５４】
図１０（ａ）に示す孔あき板２６０は、吸音領域６０ａでは、図６の孔あき板６０と同様に、所定のピッチｂで縦横に複数（５×５）の直径２ｒの孔６１が開口している。一方、吸音領域６０ｂでは、所定のピッチ（３／４）ｂ（吸音領域６０ａのピッチの３／４倍）で縦横に複数（７×７）の直径２ｒ（吸音領域６０ａの直径と同じ）の孔６２が開口している。そのため、例えば、吸音領域６０ａでヘッドドラム５０（図８参照）の回転に起因する騒音を吸収し、吸音領域６０ｂでテープメディア７２（図８参照）の引出しに起因する騒音を吸収することができる。
【００５５】
また、図１０（ｂ）に示す孔あき板３６０は、吸音領域６０ａでは、図１０（ａ）の孔あき板２６０と同様に、所定のピッチｂで縦横に複数（５×５）の直径２ｒの孔６１が開口している。一方、吸音領域６０ｃでは、所定のピッチｂ（吸音領域６０ａのピッチと同じ）で縦横に複数（５×５）の直径ｒ（吸音領域６０ａの直径の１／２倍）の孔６３が開口している。そのため、例えば、吸音領域６０ａでヘッドドラム５０（図８参照）の回転に起因する騒音を吸収し、吸音領域６０ｃで電源の冷却ファン（図示せず）の回転に起因する騒音を吸収することができる。
【００５６】
なお、図１０に示す孔あき板２６０及び孔あき板３６０では、孔６１のピッチｂや直径２ｒを変更しているが、孔あき板２６０（孔あき板３６０）の吸音領域６０ａの板厚ｈを吸音領域６０ｂ（吸音領域６０ｃ）で変更したり、吸音領域６０ａにおける上部筐体２１との間隔ｄを吸音領域６０ｂ（吸音領域６０ｃ）で変更することにより、２つの騒音を同時に吸収することもできる。また、吸音に必要な面積を確保した上で、異なる吸音領域を増やせば、３つ以上の騒音を同時に吸収することもできる。
【００５７】
このように、本実施形態のカムコーダー１０は、筐体２０の内部にある音源（ヘッドドラム５０等）が発する音の周波数に共鳴する孔あき板６０等を備えている。すなわち、孔あき板６０は、ヘッドドラム５０から騒音が発生する記録又は再生の際に、上部筐体２１との間隔が広くなり、孔あき板６０と上部筐体２１との間に生じる空間を空気層として、ヘルムホルツ共鳴器と呼ばれる吸音機構が利用できるようになる。そのため、ヘッドドラム５０の回転に起因する騒音が効果的に吸収され、騒音の外部への漏洩を低減させることができる。
【００５８】
また、本実施形態のカムコーダー１０は、ヘッドドラム５０によって記録又は再生を行う際に、孔あき板６０がビデオカセット７０と一緒に下降し、共鳴による騒音の吸収に必要な間隔（空気層厚）が自動的に確保される。すなわち、上部筐体２１の下側に生じる必然的とも言える空間（無駄になってしまう空間）を有効に活用して、共鳴による騒音の吸収に必要な空気層が得られるようにしている。そのため、所定の空気層の厚さを常に確保しておく必要がなく、筐体２０が大きくならない。
【００５９】
したがって、ビデオカセット７０が装填位置から記録又は再生位置に移動し、ヘッドドラム５０が回転して騒音が発生するときに合わせて、孔あき板６０の吸音機能を発揮させることができる。その結果、むやみに筐体２０を大きくする必要がなくなるので、小型化の要請と、漏洩の低減とを高度に両立させることができる。なお、図９に示す他の実施形態のカムコーダー１１０も、全く同様の作用効果を奏する。
【００６０】
以上、本発明の実施形態について説明したが、本発明は、上述した実施形態に限定されることなく、例えば、以下のような種々の変形が可能である。
（１）本実施形態では、共鳴構造形吸音材として、複数の孔６１が開口した孔あき板６０を使用し、ビデオカセット７０に対応した大きさとしているが、孔あき板６０の大きさは、必要な吸音性能等を考慮して、適宜変更することができる。また、共鳴構造形吸音材は、孔あき板６０に限らず、スリット板、共鳴器（例えば、ヘルムホルツ共鳴器）等を用いることもできる。
【００６１】
（２）本実施形態では、記録再生装置として、回転するヘッドドラム５０によってテープメディア７２を収容したビデオカセット７０に撮影画像等を記録するとともに、記録された撮影画像等を再生可能なカムコーダー１０を例に挙げたが、カムコーダー１０は、記録又は再生の少なくとも一方が可能であれば良い。また、記録再生装置は、カムコーダー１０に限らず、映像や音楽等の種々の記録再生装置に適用することができる。例えば、記録媒体は、光ディスクや磁気ディスク等でも良く、記録再生手段は、光ピックアップ等でも良く、保持部移動手段は、ディスクトレーの開閉機構等でも良い。
【図面の簡単な説明】
【００６２】
【図１】本実施形態のカムコーダーを示す部分斜視図である。
【図２】本実施形態のカムコーダーにビデオカセットを挿入した状態を示す部分斜視図である。
【図３】本実施形態のカムコーダーに対するビデオカセットの挿入当初の状態を示す断面図及び視図である。
【図４】図３に続く挿入途中の状態を示す断面図及び斜視図である。
【図５】図４に続く挿入完了の状態を示す断面図及び斜視図である。
【図６】本実施形態のカムコーダーにおける孔あき板と上部筐体との関係を示す斜視図及び断面図である。
【図７】本実施形態のカムコーダーに対するビデオカセットの挿入途中の状態における孔あき板の位置を示す斜視図及び側面図である。
【図８】図７に続く挿入完了の状態における孔あき板の位置を示す斜視図及び側面図である。
【図９】他の実施形態のカムコーダーを示す側面図である。
【図１０】本実施形態のカムコーダーに使用可能な他の例の孔あき板を示す平面図である。
【符号の説明】
【００６３】
１０，１１０  カムコーダー（記録再生装置）
２０  筐体
２１  上部筐体
２２  下部筐体
３０  カセットコンパートメント（記録媒体保持部）
４０  カセットスライダー（保持部移動手段）
５０  ヘッドドラム（記録再生手段）
６０，１６０ａ，１６０ｂ，２６０，３６０  孔あき板（共鳴構造形吸音材）
６０ａ，６０ｂ，６０ｃ  吸音領域
６１，６２，６３，１６１ａ，１６１ｂ  孔
７０  ビデオカセット（記録媒体）
７２  テープメディア
【図１】
2008071428.tif 000003
【図２】
2008071428.tif 000004
【図３】
2008071428.tif 000005
【図４】
2008071428.tif 000006
【図５】
2008071428.tif 000007
【図６】
2008071428.tif 000008
【図７】
2008071428.tif 000009
【図８】
2008071428.tif 000010
【図９】
2008071428.tif 000011
【図１０】
2008071428.tif 000012